(57)【要約】      （修正有）【課題】植物の茎を傷つけないようにしつつ縦紐に対してしっかりと支持でき、かつ作業者の負担も軽減できる誘引具とそれを用いた栽培棚を提供する。【解決手段】植物の茎を縦紐２１に支持させる誘引具１は、縦紐に沿って上下方向へ伸びる縦軸部３、縦軸部の上に形成されるツイスト部２、および縦軸部の下に形成される掛留部４を有する。縦紐をツイスト部２に絡めるとともに掛留部４に掛けることにより縦紐が留められて、縦紐との間に植物の茎が挟まれ支持される。【選択図】図１
0003188902.tif 000002
【実用新案登録請求の範囲】
【請求項１】
植物の茎を縦紐に支持させる誘引具であって、
前記縦紐に沿って上下方向へ伸びる縦軸部、前記縦軸部の上に形成されるツイスト部、および前記縦軸部の下に形成される掛留部を有し、
前記縦紐に前記ツイスト部を絡めるとともに前記掛留部を掛けることにより前記縦紐に留められて前記縦紐との間に植物の茎を挟む、
誘引具。
【請求項２】
前記縦軸部の下に形成される前記掛留部は、フック形状を有し、前記縦軸部に対して曲げられている、
請求項１記載の誘引具。
【請求項３】
前記掛留部は、前記縦軸部に対して前へ曲げられ、
前記縦軸部の上に形成される前記ツイスト部は、前記縦軸部の前側において左右に折り返された形状を有する、
請求項２記載の誘引具。
【請求項４】
手曲げ可能な長尺軸形状の金属線の上端部をツイスト形状に捻じ曲げるとともに下端部を折り返すことにより、上下方向に長い前記縦軸部の上下に前記ツイスト部および前記掛留部を形成してなる、
請求項１から３のいずれか一項記載の誘引具。
【請求項５】
植物の茎を植えたところに並べて設けられる複数の縦紐と、
前記複数の縦紐に留められる請求項１から４のいずれか一項記載の複数の誘引具と、
を有し、
前記茎は、前記複数の縦紐に取り付けられた複数の誘引具により傾いた姿勢で支持される、
栽培棚。
【考案の詳細な説明】
【技術分野】
【０００１】
この考案は、植物の茎を縦紐に支持させる誘引具およびこれを用いた栽培棚に関する。
【背景技術】
【０００２】
従来、たとえばトマトなどの植物を育てる場合、植物の茎の傍に縦紐を吊り下げ、タイバンドを用いてこの縦紐に対して茎を固定している。また、タイバンドの替わりに、特許文献１のループバンドを用いることもできる。このように縦紐に茎を固定することにより、茎を自立させて倒れ難くでき、植物の成長を助けることができる。
しかしながら、タイバンドやループバンドといった誘引具では、たとえば茎と縦紐とをまとめて共締めするため、茎が誘引具や縦紐とこすれて痛み易い。
【０００３】
また、特許文献２または３のように縦紐に対して固定紐をループ状に取り付け、このループ状の固定紐により茎を縛ることも考えられるが、この場合には縦紐に対して茎を安定させることが難しい。縦紐に対して茎を安定させるためには、ループ状の固定紐で茎をきつく縛らなければならない。
【先行技術文献】
【特許文献】
【０００４】
【特許文献１】特開２００５−２１０９１５号公報
【特許文献２】特開２００３−０３３１１５号公報
【特許文献３】特開２００５−０１３０３５号公報
【特許文献４】特開２００１−２３８５４７号公報
【特許文献５】実用新案登録第３０１８０８１号
【考案の概要】
【考案が解決しようとする課題】
【０００５】
そこで、特許文献４または５のようなクリップを縦紐に固定し、この縦紐に固定されたクリップで茎を支えることが考えられる。この場合、茎と縦紐とがまとめて共締めされなくなり、しかも、縦紐に対して茎を安定させることができる。
【０００６】
しかしながら、このようなクリップを用いたとしても、作業者の負担は軽減されない。
すなわち、作業者は、たとえばクリップを取り付ける場合には、クリップの根元で縦紐を挟むように注意しながら、クリップで茎を挟まなければならない。
また、植物が成長したり果実の収穫を開始したりすると、その成長または収穫に合わせて茎からクリップを外し、茎の位置を調整したうえで再度クリップを取り付ける必要がある。植物の成長や収穫段階などに応じてクリップの位置を調整する必要がある。しかも、果実を収穫する場合には、たとえば成長した茎の上部になる果実と茎の下部になる果実とを収穫するために立ち上がったりしゃがんだりしながら手を伸ばして収穫しなければならない。作業者は、成長した茎において異なる高さでなる果実に手を伸ばして１つ１つ収穫しなければならない。
また、収穫を終えた植物を片付ける場合、クリップを１つ１つ手作業で縦紐および茎から取外して回収しなければならない。
また、クリップには、タイバンドなどと比べてクリップ自体の構造が複雑であってその部品点数も多くなるため、タイバンドなどと比べて価格競争力がないという課題もある。
【０００７】
このように、植物の茎を縦紐に支持させる誘引具においては、単に植物の茎を傷つけないようにしつつ縦紐に対してしっかりと支持させることができるだけでなく、さらに作業者の負担を軽減することができるものが潜在的に求められている。
【課題を解決するための手段】
【０００８】
本考案に係る誘引具は、植物の茎を縦紐に支持させる誘引具であって、前記縦紐に沿って上下方向へ伸びる縦軸部、前記縦軸部の上に形成されるツイスト部、および前記縦軸部の下に形成される掛留部を有し、前記縦紐に前記ツイスト部を絡めるとともに前記掛留部を掛けることにより前記縦紐に留められて前記縦紐との間に植物の茎を挟む。
【０００９】
好適には、前記縦軸部の下に形成される前記掛留部は、フック形状を有し、前記縦軸部に対して曲げられている、とよい。
【００１０】
好適には、前記掛留部は、前記縦軸部に対して前へ曲げられ、前記縦軸部の上に形成される前記ツイスト部は、前記縦軸部の前側において左右に折り返された形状を有する、とよい。
【００１１】
好適には、手曲げ可能な長尺軸形状の金属線の上端部をツイスト形状に捻じ曲げるとともに下端部を折り返すことにより、上下方向に長い前記縦軸部の上下に前記ツイスト部および前記掛留部を形成してなる、とよい。
【００１２】
本考案に係る栽培棚は、植物の茎を植えたところに並べて設けられる複数の縦紐と、前記複数の縦紐に留められる請求項１から４のいずれか一項記載の複数の誘引具と、を有し、前記茎は、前記複数の縦紐に取り付けられた複数の誘引具により傾いた姿勢で支持される。
【考案の効果】
【００１３】
これらの考案では、作業者がツイスト部を縦紐に絡めるとともに掛留部を縦紐に掛けることにより、縦紐に対して誘引具を片手で簡単にしっかりと取り付けることができる。そして、誘引具と縦紐との間に植物の茎を挟むことにより、植物の茎を縦紐に対して安定させてしっかりと支えることができる。また、誘引具は縦紐との間で植物の茎を挟んでいるため、植物の茎を傷つけ難い。
また、これらの考案では、誘引具のツイスト部および掛留部が縦紐を挟んでいないので、誘引具が縦紐に対して固定されない。よって、上述したタイバンド、ループバンド、クリップなどと比べて、縦紐に対して誘引具を取り付ける取付作業性が上述したように改善されるだけでなく、再取付作業性および回収作業性についても改善される。さらに、収穫作業性についても改善可能である。
このように、本願に係る考案では、植物の茎を傷つけないようにしつつ縦紐に対してしっかりと支持させることができ、しかも、作業者の負担を軽減することができる。
【図面の簡単な説明】
【００１４】
【図１】図１は、本考案の実施形態に係る誘引具の正面図である。
【図２】図２は、図１の誘引具の側面図である。
【図３】図３は、図１の誘引具の製造方法の一例を示す説明図である。
【図４】図４は、図１の誘引具を縦紐に取り付ける取り付け作業の手順説明図である。
【図５】図５は、縦紐に取り付けた誘引具に植物の茎を支持させる作業の手順説明図である。
【図６】図６は、図１の誘引具を用いた栽培棚の一例を示す説明図である。
【図７】図７は、タイバンドを用いて植物の茎を縦紐に取り付けた状態を示す第１比較例の説明図である。
【図８】図８は、クリップを用いて植物の茎を縦紐に取り付けた状態を示す第２比較例の説明図である。
【考案を実施するための形態】
【００１５】
以下、図面を参照しつつ本考案の実施形態について説明する。
【００１６】
図１は、本考案の実施形態に係る誘引具１の正面図である。図２は、図１の誘引具１の側面図である。
誘引具１は、植物の茎を縦紐２１に支持させるために用いる。
図１の誘引具１は、縦紐２１に沿って上下方向へ伸びる縦軸部３、縦軸部３の上に形成されるツイスト部２、および縦軸部３の下に形成される掛留部４を有する。
また、図１には、誘引具１が取り付けられる縦紐２１が点線により図示されている。
【００１７】
図３は、図１の誘引具１の製造方法の一例を示す説明図である。
図３（Ａ）に示すように、図１の誘引具１は、１本の一直線形状の金属線１０から製造し得る。金属線１０は、手曲げ可能な太さが望ましく、たとえば直径が２〜５ｍｍの長尺な円柱形状でよい。また、図３の金属線１０は、ビニール樹脂などの樹脂材料による被覆部１５により被覆されている。金属線１０を樹脂材料で被覆することにより、誘引具１を縦紐２１に取り付けた際に適度なすべり特性が得られる。
【００１８】
そして、図３（Ａ）の一直線形状の金属線１０の上部は、図３（Ｂ）に示すように一直線形状の金属線１０の前側において、左右に折り返すように折り曲げられる。図３（Ｂ）のツイスト部２は、縦軸部３の上端から左前側の下方へ折り曲げられた第１折曲部１１と、さらに第１折曲部１１の先端から右前側の下方へ折り曲げられた第２折曲部１２とを有する。これにより、一直線形状の金属線１０の上には、一直線形状の金属線１０の前側において左右に折り返すように折り曲げられたツイスト部２が形成される。ツイスト部２は、縦軸部３の前側に位置する。ツイスト部２についての右側に折り曲げられた第２折曲部１２の先端は、縦軸部３より右側へ突出する。ツイスト部２の第２折曲部１２は、縦軸部３と交差する。また、縦軸部３の上端に形成されるツイスト部２は、その全体が縦軸部３の上端より下側に位置するように折り曲げられている。
【００１９】
また、図３（Ａ）の一直線形状の金属線１０の下端は、図３（Ｃ）に示すように上向きに折り返される。これにより、フック形状の掛留部４が形成される。図３（Ｃ）の掛留部４は、縦軸部３の下端から下へ伸びる第３折曲部１３と、第３折曲部１３の下端において上向きに折り曲げられた第４折曲部１４と、を有する。第４折曲部１４は、第３折曲部１３の左側に折り返される。また、掛留部４の第３折曲部１３は、縦軸部３に対して前方向へ曲げられている。縦軸部３に対する第３折曲部１３の折り曲げ角度は、たとえば１０〜６０度でよい。
【００２０】
また、図３（Ｃ）に示すように、ツイスト部２と掛留部４との間には、上下方向に延びる金属線１０の残部により、縦軸部３が形成される。図３（Ｃ）の縦軸部３は、一直線形状である。縦軸部３は、たとえばその中央が上下端より後側となるように前後方向に湾曲してもよい。
【００２１】
このように、図１の誘引具１は、長尺軸形状の金属線１０を折り曲げることにより形成できる。よって、誘引具１の製造工数を抑えるとともに誘引具１の原価を抑え、誘引具１を極めて安価に製造できる。タイバンド５１と比べても、同等に安価な価格を実現できる。
【００２２】
また、長尺軸形状の金属線１０として手曲げ可能なものを使用することにより、作業者は使用時に誘引具１の形状を微調整し得る。作業者は、たとえば縦軸部３を湾曲させて、茎をより傷付け難くなるようにできる。また、作業者は、ツイスト部２の前への張り出し量を調整することにより、縦紐２１に対して誘引具１がすべり始める荷重を調整できる。
【００２３】
図４は、図１の誘引具１を縦紐２１に取り付ける取り付け作業の手順説明図である。
誘引具１を縦紐２１に取り付ける場合、作業者は、図４（Ａ）に示すように誘引具１の縦軸部３を片手の指先で持つ。そして、ツイスト部２が下側となるように手首をひねり、ツイスト部２の先端を縦紐２１の後側に入れる。次に、図４（Ｂ）に示すように誘引具１を手前へ引き、ツイスト部２の折れ曲げ部分に縦紐２１を掛ける。次に、図４（Ｃ）に示すように、ツイスト部２に縦紐２１を掛けた状態のまま手首を戻す。これにより、縦紐２１が前後方向に捻り曲げられた状態でツイスト部２に絡みつく。次に、図４（Ｄ）に示すようにフック形状の掛留部４を手前へ引き、掛留部４の後側に縦紐２１を掛ける。
このように、誘引具１は、縦紐２１にツイスト部２を絡めるとともに掛留部４を掛けることにより、縦紐２１に留められる。
【００２４】
図５は、縦紐２１に取り付けた誘引具１に植物の茎３１を支持させる作業の手順説明図である。
【００２５】
縦紐２１に取り付けた誘引具１に植物の茎３１を支持させる場合、作業者は、図５（Ａ）に示すように掛留部４を持ち上げて縦紐２１から外し、縦軸部３と縦紐２１との間に隙間を作る。次に、図５（Ｂ）に示すように縦軸部３と縦紐２１との間の隙間に茎３１を下から入れる。次に、図５（Ｃ）に示すようにフック形状の掛留部４を手前へ引き、掛留部４の後側に縦紐２１を再び掛ける。この状態で誘引具１から手を離すことで、誘引具１と縦紐２１との間に茎３１が挟まれる。植物の茎３１は縦紐２１により支持される。
【００２６】
以上のように、作業者は、片手で縦紐２１に誘引具１を取り付けることができる。また、縦紐２１に取り付けた誘引具１を縦紐２１から取り外すことなく、誘引具１と縦紐２１との間に茎３１を入れて縦紐２１に対して茎３１を支持させることができる。
このようにして、縦紐２１に留められた誘引具１は、縦紐２１との間に植物の茎３１を挟むことができる。
【００２７】
そして、縦軸部３の下端から下へ突出する掛留部４は、フック形状を有し、縦軸部３に対して前へ曲げられる。よって、図２に示すように誘引具１と縦紐２１との間に誘引具１の懐による隙間が形成され、たとえばトマトの茎３１などのように太くなる茎３１についても、図４（Ｃ）に示すように誘引具１の掛留部４または縦軸部３が茎３１に対して強く押し付けられないようになる。茎３１を誘引具１と縦紐２１との間に挟んでいても、茎３１を傷つけ難い。また、茎３１が成長して伸びたり太くなったりしたとしても、それを妨げないようにできる。
【００２８】
また、茎３１は、フック形状の掛留部４とその先端に掛けられた縦紐２１とにより形成されるＵ字形状の底の上に乗せられるので、誘引具１を縦紐２１に固定したり、誘引具１で茎３１を挟んだりしていないにもかかわらず、茎３１の自重を上手に利用して茎３１を縦紐２１に対して安定させることができる。風などで茎３１が揺れることがあっても、誘引具１および茎３１が縦紐２１に対してずれることがない。
【００２９】
また、縦軸部３の上端から突出するツイスト部２は、縦軸部３の下端から突出する掛留部４と同じように縦軸部３より前側に伸びている。よって、ツイスト部２に絡められた縦紐２１は、図２または図４（Ｃ）に示すように、ツイスト部２において前方向へ折り曲げられる。その結果、誘引具１と縦紐２１との間の隙間は、縦方向において略一定の幅で広がり、掛留部４のみを前方向へ折り曲げた場合よりも広がる。その結果、太い茎３１を支持させたり、茎３１を立てたまま支持させたりする場合においても、それらの茎３１の周囲に縦紐２１がまきつき難くなり、傷付け難くなる。
【００３０】
しかも、ツイスト部２に絡めた縦紐２１は、図２に示すようにツイスト部２の金属線１０の周りに巻きつけられないので、ツイスト部２の金属線１０に巻きついた場合のように密着していない。ツイスト部２と縦紐２１との接触面積を抑え、縦紐２１に対してツイスト部２が滑り始める荷重を低く抑えることができる。また、その滑り始めの荷重がツイスト部２の形状ばらつきなどにより影響を受け難くなる。縦紐２１との組み合わせにおいてすべりはじめが最適となるように調整できる。その結果、縦紐２１に対してツイスト部２が滑り始める荷重を低く且つ安定した荷重とすることができる。このため、たとえば縦紐２１に対してツイスト部２が滑り始める荷重を、対象とする植物で果実３２が成長した状態での茎３１の重さより少し小さい荷重とすることができ、成長した果実３２の重さで誘引具１が自動的に下がるようにすることができる。誘引具１が自動的に下がることにより、作業者が自ら茎３１を押し下げる作業をしなくてよい。また、成長した果実３２は縦紐２１の下部においてまとめて回収することができ、収穫作業が容易になる。
【００３１】
また、誘引具１は、縦紐２１を把持するようにして縦紐２１に対して固定されているわけではない。よって、作業者は、図４の手順を逆順で実施することにより、誘引具１を縦紐２１から片手で簡単に取外すことができる。また、作業者は、片手で容易に、縦紐２１から取外した誘引具１を縦紐２１に対して再度取り付けることができる。また、作業者は、茎３１を支持している誘引具１を手に持って縦紐２１に沿って上下方向へずらすことで、茎の支持高さを調整できる。誘引具１を縦紐２１から取外したり、取外した誘引具１を再度縦紐２１に取り付けたりすることなく、茎３１の支持高さを容易に調整できる。茎３１を傷つけることなく、植物の成長に合わせて誘引具１の高さ位置を簡単に調整できる。
【００３２】
また、植物を片付ける際には、作業者は、縦紐２１のテンションを緩めたり、誘引具１から縦紐２１を抜き取ったりするだけで、簡単に誘引具１を縦紐２１から取外して回収できる。
【００３３】
図６は、図１の誘引具１を用いた栽培棚４１の一例を示す説明図である。
図６の栽培棚４１は、たとえばトマトの栽培に用いるものであり、図示外の支柱の間に水平に張った上紐４２および下紐４３と、上紐４２と下紐４３との間に垂直に張った複数の縦紐２１と、複数の縦紐２１に留められる複数の図１の誘引具１と、を有する。また、下紐４３の少し上側には、上述した図示外の支柱の間に横紐４４が張られている。横紐４４は、複数の縦紐２１と交差しているが、複数の縦紐２１と互いに連結されていない。
【００３４】
栽培棚４１は、たとえばトマトの苗が植えられた箇所の周囲に立設される。複数の縦紐２１は、たとえば苗の栽培間隔で互いに離間して設けられる。これにより、植物の茎３１を植えたところに、複数の縦紐２１が並べて設けられる。
【００３５】
そして、作業者は、図６（Ａ）に示すように苗の茎３１が横紐４４を少し超える高さまで成長すると、茎３１を右斜めに傾けて、図１の誘引具１を用いて横紐４４に誘引具１でくくりつける。これにより、茎３１は右斜めに向かって成長するようになる。
その後、図６（Ｂ）に示すように、茎３１が斜めに成長して右隣りの縦紐２１と交差するほどに成長すると、成長した茎３１を、図１の誘引具１を用いて交差している縦紐２１の下部に括り付ける。さらに茎３１が伸びると、図６（Ｃ）に示すように図１の誘引具１を用いて更に右隣の縦紐２１の中央部に支持させる。このように茎３１の成長に合わせて、茎３１を縦紐２１に支持させることにより、斜めに成長させた茎３１が折れたりし難くなる。茎３１の成長を助けることができる。
【００３６】
しかも、図６では、伸びた茎３１は、茎３１が伸びるにつれて右隣の縦紐２１に支持される。茎３１は、複数の誘引具１により複数の縦紐２１に対して取り付けられ、全体として右へ傾いた斜めの姿勢で支持される。
【００３７】
このように茎３１を斜めに傾けた姿勢で支持している状態で茎３１に実がつき、その果実３２が成長する。そして、果実３２が大きくなると、図６（Ｄ）に示すように、各誘引具１が果実３２の重みにより縦紐２１の当初の取付け位置からすべり下がる。また、横紐４４に取り付けた各誘引具１は、茎３１が下がる際に横紐４４に沿って左右へ移動できる。このように図１の誘引具１を用いることにより、誘引具１および茎３１が果実３２の重さで自動的に下がる。作業者は自ら誘引具１を取外して茎３１を下げて誘引具１を再度取り付ける必要がない。茎３１の高さを調整する作業の手間を省くことができる。
【００３８】
また、果実３２の重さで下がった誘引具１は、横紐４４の近くで止まる。これにより、成長した果実３２は、縦紐２１の下部付近に集中する。作業者は、横紐４４に沿って移動することで、複数の苗で成長した果実３２を効率よく収穫できる。
以上のように、本実施形態では、図４に示すように作業者がツイスト部２を縦紐２１に絡めるとともに掛留部４を縦紐２１に掛けることにより、縦紐２１および横紐４４に対して誘引具１を片手で簡単にしっかりと取り付けることができる（取付作業性改善）。そして、図５に示すように縦紐２１と縦軸部３との間に植物の茎３１を挟むことにより、植物の茎３１を縦紐２１または横紐４４に対して安定させてしっかりと支えることができる。また、縦紐２１または横紐４４と縦軸部３との間に植物の茎３１を挟んでいるため、植物の茎３１を傷つけ難い。
【００３９】
また、本実施形態では、誘引具１のツイスト部２または掛留部４が縦紐２１または横紐４４を挟んでいないので、縦紐２１または横紐４４に対して固定されていない。よって、作業者は、誘引具１を縦紐２１または横紐４４から簡単に取外して付け直したり、誘引具１を縦紐２１または横紐４４に沿って簡単に上下へ移動させたりできる。茎３１を傷つけることなく、植物の成長に合わせて誘引具１の位置を簡単に調整できる。
【００４０】
特に、図６に示すように栽培棚４１の縦紐２１に対して茎３１を斜めに支持させた場合には、縦紐２１に取り付けた誘引具１が果実３２の成長により茎３１とともに自動的に降下し、成長した果実３２が自動的に縦紐２１の下部に集まるので、作業者は立ち上がったりしゃがんだりすることなく、縦紐２１の下部近くにある横紐４４において成長した果実３２を簡単に収穫できる。収穫の際の手間を大幅に削減できる。
【００４１】
また、収穫を終えた植物を片付ける際には、作業者は、縦紐２１または横紐４４のテンションを緩めたり誘引具１から縦紐２１または横紐４４を抜き取ったりするだけで縦紐２１または横紐４４から誘引具１を取外し、使用した誘引具１を簡単に回収できる。
【００４２】
このように、本実施形態では、誘引具１の取付作業性を改善できるだけでなく、誘引具１の再取付作業性、誘引具１の収穫作業性、および誘引具１の回収作業性についても改善することができる。その結果、作業者の負担は大幅に軽減される。
【００４３】
［第１比較例］
図７は、タイバンド５１を用いて植物の茎３１を縦紐２１に取り付けた状態を示す第１比較例の説明図である。
タイバンド５１は、植物の茎３１と縦紐２１との周りに巻きつけた後、両端を重ねて捻ることにより、植物の茎３１を縦紐２１に支持させることができる。
この場合、植物の茎３１は縦紐２１と共にタイバンド５１により共締めされる。このため、茎３１がタイバンド５１または縦紐２１と擦れて傷つき易い。
また、タイバンド５１の取付作業、再取付作業、および回収作業は、１つ１つの作業に手間がかかる。仮に図６に示すように栽培棚４１に対して茎３１を斜めに取り付けたとしても、茎３１の高さ位置を調整するためには、捻ったタイバンド５１を開き、さらに新たな位置で茎３１と縦紐２１とを重ね、タイバンド５１を巻きつけて捻り止める必要がある。作業者は、収穫を終えるまで自らの手作業で茎３１を下げ続ける必要がある。
【００４４】
［第２比較例］
図８は、クリップ６１を用いて植物の茎３１を縦紐２１に取り付けた状態を示す第２比較例の説明図である。
クリップ６１は、その根元に縦紐２１を挟んだ状態で植物の茎３１を挟み、これにより茎３１を縦紐２１に支持させる。
この場合、作業者は、クリップ６１の根元で縦紐２１を挟むようにクリップ６１と縦紐２１との相対位置に注意を払いながら、植物の茎３１をクリップ６１で挟むように作業をしなければならない。また、クリップ６１の位置を変えたり、クリップ６１を回収したりする場合には、クリップ６１を１つずつ開いて縦紐２１および茎３１から取外さなければならない。クリップ６１の取付作業、再取付作業、および回収作業は、１つ１つの作業に手間がかかる。仮に図６のように栽培棚４１に対して茎３１を斜めに取り付けたとしても、茎３１の高さ位置を調整するためには、クリップ６１を縦紐２１から取外し、さらに新たな位置でクリップ６１により縦紐２１および茎３１を挟まなければならない。作業者は、収穫を終えるまで自らの手作業で茎３１を下げ続ける必要がある。
【００４５】
以上の実施形態は、本考案の好適な実施形態の例であるが、本考案はこれに限定されるものではなく、考案の要旨を逸脱しない範囲において種々の変形または変更が可能である。
【００４６】
たとえば上記実施形態では、図３に示すように一直線形状の円柱形状の金属線１０を折り曲げることにより、誘引具１を形成している。
この他にもたとえば、誘引具１は、プラスチック材料または木材により形成してよい。プラスチック材料は、射出成形などにより誘引具１の成形形状に形成できる。
また、金属線１０は多角形状でもよい。多角形状の金属線１０では、四角以下ではなく、たとえば五角以上の多角形状とすることにより、茎３１への当たりが強くならないようにできる。また、金属線１０を円柱形状ではなく多角形状とすることにより、金属線１０に巻き付けた縦紐２１が金属線１０と接触する面積を、ツイスト部２の調整により段階的に変化させることができる。縦紐２１に対して誘引具１がすべり始める荷重についての微調整がし易くなる。
【００４７】
上記実施形態では、誘引具１のツイスト部２は、図１から図３に示すように縦軸部３の前側において左右に折り返すように折り曲げた形状を有する。
この他にもたとえば、ツイスト部２は、縦軸部３の前側においてらせん状に丸め曲げられたスパイラル形状でもよい。この場合、ツイスト部２は、たとえば円周の３／４程度の円弧形状に形成するとよい。これにより、ツイスト部２は、縦軸部３の前側において左右に折り返され、その先端が縦軸部３より右側へ突出するようになる。
また、ツイスト部２は、たとえば円柱状のバネを引き伸ばしたような形状またはジグザクに折れ曲がった形状に形成され、縦軸部３の上端から上へ伸びるように設けられてもよい。
このようにツイスト部２が縦軸部３の上端から上へ伸びる場合であっても、ツイスト部２が捻じ曲げられまたは折り曲げられていることにより、ツイスト部２に対して縦紐２１を絡めることができる。ただし、このように縦軸部３から上へ伸びるツイスト部２に縦紐２１を絡めた場合、縦紐２１がツイスト部２の金属線１０の周囲に絡みつくので、これらの接触面積が増え、果実３２の荷重により誘引具１が自動的にずり下がり難くなる。また、果実３２の荷重によりツイスト部２から縦紐２１が外れ易くなる。また、ツイスト部２が縦軸部３の前側へ伸びている場合には、図２に示すようにツイスト部２に絡めた縦紐２１が縦軸部３から離れるように折り曲げられることになるが、ツイスト部２が縦軸部３から上へ伸びている場合には、ツイスト部２により縦紐２１を縦軸部３から離間させることが難しい。縦紐２１と誘引具１との間に茎３１を挟んだ際に、茎３１の周囲に縦紐２１が巻き付くようになる。
【００４８】
上記実施形態では、誘引具１の縦軸部３は、一直線状の円柱形状を有する。
この他にもたとえば、縦軸部３は、平板形状を有してもよい。
また、縦軸部３は、湾曲してもよい。そして、縦軸部３をその上下端より中央部が後側となるように湾曲させることにより、誘引具１の懐を広げることができる。
【００４９】
上記実施形態では、誘引具１と縦紐２１との間に植物の茎３１を入れている。
この他にもたとえば、縦軸部３にフック部を設け、このフック部に茎３１を掛けるようにしてもよい。ただし、この場合にはフック形状の掛留部４とその先端に掛けられた縦紐２１とにより形成されるＵ字底の上に茎３１が乗った状態とならないので、茎３１の自重を上手に利用して縦紐２１に対して誘引具１および茎３１を安定させることが難しい。
【００５０】
上記実施形態では、誘引具１の掛留部４は、フック形状を有し、縦軸部３に対して前側へ曲げられている。
この他にもたとえば、掛留部４は、リング形状を有し、リング内に縦紐２１を掛けるようにしてもよい。
また、掛留部４は、たとえば前向きに開いたＵ字部またはＶ字部を有し、この前向きに開いたＵ字部またはＶ字部に縦紐２１を掛けるようにしてもよい。この場合でも掛留部４が縦紐２１を挟んだりして縦紐２１に対して固定されていないので、上下方向へのスライドを妨げない。
また、掛留部４は、縦軸部３の下方へ真直ぐに伸びて、前側へ曲げられていなくてもよい。
【００５１】
上記実施形態では、掛留部４の第４折曲部１４は、第３折曲部１３の左側に折り返されている。この他にもたとえば、第４折曲部１４は、第３折曲部１３の右側に折り返されてもよい。ただし、この場合、ツイスト部２も図１の左右方向において逆に折り曲げるとよい。これにより、ツイスト部２の先端が突出する方向と、第４折曲部１４が折り曲げられる方向とを、縦軸部３の左右方向で逆側とすることができ、図３と同様の手順により片手で誘引具１を縦紐２１に取り付けることができる。
【００５２】
上記実施形態では、誘引具１のツイスト部２は、同部２と縦軸部３とがなす角度が鋭角になるようにして屈曲していた（図２）。しかし、ツイスト部２と縦軸部３とがなす角度が９０度に近くなるように屈曲度合いを変えてもよい。ここで、ツイスト部２と縦軸部３とがなす角度を狭めると誘引具１の保持力は弱まり、ツイスト部２と縦軸部３とがなす角度が広がると誘引具１の保持力は強まる。よって、ツイスト部２の屈曲の角度を変えることにより、誘引具１の保持力を調整することができる。
【００５３】
上記実施形態では、誘引具１の縦軸部３の下端から第３折曲部１３が僅かに傾いた方向に延伸しており、第３折曲部１３の先端においてＵ字状に折り曲げられた第４折曲部１４が第３折曲部１３と平行に対峙していた（図３（Ｃ））。しかし、第４折曲部１４を縦軸部３と直交する方向を向くように折り曲げてもよい。このようにすると、誘引具１により茎３１を支持したときに茎３１を傷つけ難くすることができる。
【符号の説明】
【００５４】
１  誘引具、２  ツイスト部、３  縦軸部、４  掛留部、１０  金属線、２１  縦紐、３１  茎、４１  栽培棚
【図１】
0003188902.tif 000003
【図２】
0003188902.tif 000004
【図３】
0003188902.tif 000005
【図４】
0003188902.tif 000006
【図５】
0003188902.tif 000007
【図６】
0003188902.tif 000008
【図７】
0003188902.tif 000009
【図８】
0003188902.tif 000010